(57)【要約】【課題】ランナーの天井への施工時に、配線の損傷および汚れを防止し、配線がランナーと天井との間で折れ曲がるのを防止する。ランナーの天井への正確な位置出しおよびランナーの天井の所定位置への正確な固定を行う。作業性の向上と作業者の負担軽減を図る。【解決手段】ランナー施工補助具１は、天井への取付材２と、取付材２に設けられる傾斜支持材３、水平支持材５、位置決め材４および押付材６を備える。傾斜支持材３は、ランナーの設置面が斜め上方へ向いた状態でランナーを傾斜して支持する。水平支持材５は、ランナーの設置面が上方へ向いた状態で水平にランナーを支持する。位置決め材４は、ランナーが天井に当接される際にランナーが接触されて、天井に対しランナーを位置決めする。押付材６は、ランナーの設置面が天井に当接された状態で、下方からランナーを天井側へ押し付ける。【選択図】図１
2019019446.tif 000002
【特許請求の範囲】
【請求項１】
天井への取付材と、
前記取付材に設けられ、ランナーの前記天井への設置面が斜め上方へ向いた状態で前記ランナーを傾斜して支持する傾斜支持材と
を備えることを特徴とするランナー施工補助具。
【請求項２】
前記取付材に設けられ、前記ランナーの前記設置面が前記天井に当接された状態で、下方から前記ランナーを前記天井側へ押し付ける押付材をさらに備える
ことを特徴とする請求項１に記載のランナー施工補助具。
【請求項３】
前記取付材に設けられ、前記ランナーの前記設置面が前記天井に当接される際に前記ランナーが接触されて、前記天井に対し前記ランナーを位置決めする位置決め材をさらに備える
ことを特徴とする請求項２に記載のランナー施工補助具。
【請求項４】
前記取付材に設けられ、前記傾斜支持材に支持された状態での前記ランナーの位置よりも前記天井に近い位置で、前記設置面が上方へ向いた状態で水平に前記ランナーを支持する水平支持材をさらに備える
ことを特徴とする請求項３に記載のランナー施工補助具。
【請求項５】
請求項３に記載のランナー施工補助具を用いて、配線が通される貫通穴が前記設置面に形成された前記ランナーを前記天井に施工するランナー施工方法であって、
前記ランナーの設置方向へ沿って互いに離隔して、複数の前記ランナー施工補助具が前記天井に固定され、
前記天井に固定された前記ランナー施工補助具同士を架け渡すように、前記複数のランナー施工補助具の前記各傾斜支持材に前記ランナーが支持され、
前記各傾斜支持材に前記ランナーが支持された状態で、前記ランナーの前記貫通穴に前記天井からの前記配線が通され、
前記ランナーの前記貫通穴に前記配線が通された状態で、前記ランナーが、前記各傾斜支持材に支持された状態から、前記複数のランナー施工補助具の前記各位置決め材にて位置決めされつつ、前記各傾斜支持材に支持される前、または支持された後で前記貫通穴に前記配線が通される前もしくは通された後に接着剤が塗布された前記設置面が前記天井に当接されて、前記複数のランナー施工補助具の前記各押付材にて前記天井側へ押し付けられ、
前記各押付材にて押し付けられた状態で、前記ランナーが前記天井に固定具により固定される
ことを特徴とするランナー施工方法。
【請求項６】
請求項４に記載のランナー施工補助具を用いて、配線が通される貫通穴が前記設置面に形成された前記ランナーを前記天井に施工するランナー施工方法であって、
前記ランナーの設置方向へ沿って互いに離隔して、複数の前記ランナー施工補助具が前記天井に固定され、
前記天井に固定された前記ランナー施工補助具同士を架け渡すように、前記複数のランナー施工補助具の前記各傾斜支持材に前記ランナーが支持され、
前記各傾斜支持材に前記ランナーが支持された状態で、前記ランナーの前記貫通穴に前記天井からの前記配線が通され、
前記ランナーの前記貫通穴に前記配線が通された状態で、前記ランナーが、前記各傾斜支持材に支持された状態から、前記天井に固定された前記ランナー施工補助具同士を架け渡すよう前記各水平支持材に支持された状態へ移動され、
前記ランナーの前記貫通穴に前記配線が通された状態で、前記ランナーが、前記各水平支持材に支持された状態から、前記複数のランナー施工補助具の前記各位置決め材にて位置決めされつつ、前記各傾斜支持材に支持される前、または支持された後で前記貫通穴に前記配線が通される前もしくは通された後に接着剤が塗布された前記設置面が前記天井に当接されて、前記複数のランナー施工補助具の前記各押付材にて前記天井側へ押し付けられ、
前記各押付材にて押し付けられた状態で、前記ランナーが前記天井に固定具により固定される
ことを特徴とするランナー施工方法。
【発明の詳細な説明】
【技術分野】
【０００１】
本発明は、間仕切壁などを設置する際に用いられるランナーを天井に施工する際のランナー施工補助具と、このランナー施工補助具を用いて天井にランナーを施工するランナー施工方法に関するものである。
【背景技術】
【０００２】
下記特許文献１には、上下のランナーを有する間仕切壁の施工方法が開示されている。この施工方法では、上下のランナーの内、天井面に取り付けられる上ランナーは、それに形成された貫通孔または電気配線を通すための孔に、天井面に打たれた墨線が面するようにして位置が調整される。そして、この位置出し後に、上ランナーがビスで天井面に取り付けられる。
【先行技術文献】
【特許文献】
【０００３】
【特許文献１】特開２００１−１７３１３４号公報
【発明の概要】
【発明が解決しようとする課題】
【０００４】
従来では、ランナーに形成された孔に電気配線が通される際、作業者が脚立に登った状態にて、片手でランナーを持ちながら、もう一方の手でランナーの孔に電気配線を通す作業を行っている。このようにして電気配線をランナーに形成された孔に片手で通すため、ランナーの孔の縁部に電気配線が引っ掛かり、電気配線を傷付けるおそれがある。また、従来では、配線がランナーの孔に通された後、作業者が脚立に登った状態でランナーを天井に取り付けるために持ち上げた際、電気配線が折れ曲がってランナーの天井への設置面に塗布された接着剤が電気配線に付着したり、電気配線がランナーと天井との間で折れ曲がって天井とランナーとの間に挟まったりするおそれがある。
【０００５】
さらに、従来では、作業者が脚立に登った状態にて、ランナーに形成された貫通孔または電気配線を通すための孔に墨線が面するように、目視により確認しながら位置が調整された後、ランナーに貼り付けられた両面テープなどによってランナーが天井面に仮固定される。そして、この位置出し後、ランナーがビスで天井面に固定される。このようにして、脚立上での不安定な姿勢において目視により位置出しが行われるため、特に長いランナーの場合、正確に位置出しを行うことができないおそれがあり、これにより所定の位置にランナーをビスで固定できないおそれがある。また、正確に位置出しを行うことができずにずれている場合、そのズレを直す際に、ランナーが天井から剥がれて落下する危険性がある。
【０００６】
本発明は、このような問題に鑑みてなされたものであり、その主たる目的は、ランナーの天井への施工時に、配線が損傷したり汚れたりするのを防止できると共に、配線がランナーと天井との間で折れ曲がるのを防止することができるランナー施工補助具およびこれを用いたランナー施工方法を提供することにある。また、ランナーの天井への正確な位置出しおよびランナーの天井の所定位置への正確な固定を行うことができるランナー施工補助具およびこれを用いたランナー施工方法を提供することを目的とする。
【課題を解決するための手段】
【０００７】
上記目的を達成するための本発明に係るランナー施工補助具は、天井への取付材と、前記取付材に設けられ、ランナーの前記天井への設置面が斜め上方へ向いた状態で前記ランナーを傾斜して支持する傾斜支持材とを備えることを特徴とする。
【０００８】
また、本発明に係るランナー施工補助具は、前記取付材に設けられ、前記ランナーの前記設置面が前記天井に当接された状態で、下方から前記ランナーを前記天井側へ押し付ける押付材をさらに備えることを特徴とする。
【０００９】
また、本発明に係るランナー施工補助具は、前記取付材に設けられ、前記ランナーの前記設置面が前記天井に当接される際に前記ランナーが接触されて、前記天井に対し前記ランナーを位置決めする位置決め材をさらに備えることを特徴とする。
【００１０】
さらに、本発明に係るランナー施工補助具は、前記取付材に設けられ、前記傾斜支持材に支持された状態での前記ランナーの位置よりも前記天井に近い位置で、前記設置面が上方へ向いた状態で水平に前記ランナーを支持する水平支持材をさらに備えることを特徴とする。
【００１１】
上記目的を達成するための本発明に係るランナー施工方法は、前記ランナー施工補助具を用いて、配線が通される貫通穴が前記設置面に形成された前記ランナーを前記天井に施工するランナー施工方法であって、前記ランナーの設置方向へ沿って互いに離隔して、複数の前記ランナー施工補助具が前記天井に固定され、前記天井に固定された前記ランナー施工補助具同士を架け渡すように、前記複数のランナー施工補助具の前記各傾斜支持材に前記ランナーが支持され、前記各傾斜支持材に前記ランナーが支持された状態で、前記ランナーの前記貫通穴に前記天井からの前記配線が通され、前記ランナーの前記貫通穴に前記配線が通された状態で、前記ランナーが、前記各傾斜支持材に支持された状態から、前記複数のランナー施工補助具の前記各位置決め材にて位置決めされつつ、前記各傾斜支持材に支持される前、または支持された後で前記貫通穴に前記配線が通される前もしくは通された後に接着剤が塗布された前記設置面が前記天井に当接されて、前記複数のランナー施工補助具の前記各押付材にて前記天井側へ押し付けられ、前記各押付材にて押し付けられた状態で、前記ランナーが前記天井に固定具により固定されることを特徴とする。
【００１２】
さらに、本発明に係るランナー施工方法は、前記ランナー施工補助具を用いて、配線が通される貫通穴が前記設置面に形成された前記ランナーを前記天井に施工するランナー施工方法であって、前記ランナーの設置方向へ沿って互いに離隔して、複数の前記ランナー施工補助具が前記天井に固定され、前記天井に固定された前記ランナー施工補助具同士を架け渡すように、前記複数のランナー施工補助具の前記各傾斜支持材に前記ランナーが支持され、前記各傾斜支持材に前記ランナーが支持された状態で、前記ランナーの前記貫通穴に前記天井からの前記配線が通され、前記ランナーの前記貫通穴に前記配線が通された状態で、前記ランナーが、前記各傾斜支持材に支持された状態から、前記天井に固定された前記ランナー施工補助具同士を架け渡すよう前記各水平支持材に支持された状態へ移動され、前記ランナーの前記貫通穴に前記配線が通された状態で、前記ランナーが、前記各水平支持材に支持された状態から、前記複数のランナー施工補助具の前記各位置決め材にて位置決めされつつ、前記各傾斜支持材に支持される前、または支持された後で前記貫通穴に前記配線が通される前もしくは通された後に接着剤が塗布された前記設置面が前記天井に当接されて、前記複数のランナー施工補助具の前記各押付材にて前記天井側へ押し付けられ、前記各押付材にて押し付けられた状態で、前記ランナーが前記天井に固定具により固定されることを特徴とする。
【発明の効果】
【００１３】
本発明に係るランナー施工補助具によれば、ランナーが傾斜支持材に支持された状態で、ランナーに形成された貫通穴に配線を通す作業を行うことができる。これにより、作業者は、ランナーの貫通穴に配線を通す作業を両手で行うことができるので、ランナーの貫通穴の縁部に配線が引っ掛からないように、ランナーの貫通穴に配線をスムーズに通すことができる。従って、配線がランナーの貫通穴の縁部に接触して損傷するのを防止することができる。また、ランナーは、天井への設置面が斜め上方へ向いた状態で傾斜支持材に傾斜して支持される。これにより、作業者の側へ設置面を向けることができるので、配線をランナーの貫通穴に容易に通すことができる。また、天井への取付材に傾斜支持材が設けられるので、天井の近くでランナーの貫通穴に配線を通す作業を行うことができる。これにより、従来と比較して、ランナーの天井までの移動距離を短くすることができ、ランナーの設置面の接着剤が配線に付着したり、配線が折れ曲がったりするのを防止することができる。
【００１４】
また、本発明に係るランナー施工補助具によれば、押付材によりランナーを天井に押し付けることができるので、ランナーが所定の位置からずれている場合に、そのズレを直すことができ、正確に位置出しを行うことができる。その際、押付材によりランナーの落下が防止されるので、ズレを直す作業を安全に行うことができる。このようにして正確に位置出しを行うことができるので、天井へのランナーの固定も正確な位置に行うことができる。
【００１５】
また、本発明に係るランナー施工補助具によれば、位置決め材にランナーを接触させることでランナーの位置決めを行うことができるので、従来の目視の場合と比較して、正確に位置出しを行うことができ、ランナーの天井の所定位置への固定も正確に行うことができる。
【００１６】
さらに、本発明に係るランナー施工補助具によれば、配線が通されたランナーを水平支持材に支持することができるので、その支持状態からランナーを設置面が上方へ向いた状態で持ち上げることができ、これにより、特に長いランナーの場合、ランナーの位置出しを作業者が一人で楽に行うことができる。
【００１７】
本発明に係るランナー施工方法によれば、前述した取付材、傾斜支持材、押付材および位置決め材を備えるランナー施工補助具を用いて、天井へのランナーの施工を行うことができる。
【００１８】
さらに、本発明に係るランナー施工方法によれば、前述した取付材、傾斜支持材、押付材、位置決め材および水平支持材を備えるランナー施工補助具を用いて、天井へのランナーの施工を行うことができる。
【図面の簡単な説明】
【００１９】
【図１】本発明のランナー施工補助具の一実施例を示す斜視図であり、斜め前方から見た状態を示している。
【図２】図１のランナー施工補助具を斜め後方から見た斜視図である。
【図３】図１のランナー施工補助具の使用状態を示す正面図であり、ランナーが傾斜支持材に支持された状態を示している。
【図４】図１のランナー施工補助具の使用状態を示す正面図であり、ランナーに形成された貫通穴に配線が通された状態を示している。
【図５】図１のランナー施工補助具の使用状態を示す正面図であり、ランナーが水平支持材に支持された状態を示している。
【図６】図１のランナー施工補助具の使用状態を示す正面図であり、ランナーが位置決め材により位置決めされた状態を示している。
【図７】図１のランナー施工補助具の使用状態を示す正面図であり、ランナーが押付材により天井へ押し付けられた状態を示している。
【図８】図１のランナー施工補助具の収納状態を示す正面図である。
【発明を実施するための形態】
【００２０】
以下、本発明の具体的実施例を図面に基づいて詳細に説明する。
【００２１】
図１および図２は、本発明のランナー施工補助具の一実施例を示す図であり、図１は斜め前方から見た状態を示す斜視図、図２は斜め後方から見た状態を示す斜視図である。本実施例のランナー施工補助具１は、天井への取付材２と、この取付材２に設けられる傾斜支持材３、位置決め材４、水平支持材５および押付材６を備える。
【００２２】
取付材２は、垂直片７と水平片８とを有する略Ｌ字形状の板状に形成されている。図示例では、垂直片７は、左右に細長い板状に形成されており、板面を前後に向けて配置される。水平片８は、左右に細長い板状に形成されており、垂直片７の上端部から前方へ延出して、板面を上下に向けて配置される。取付材２の水平片８には、その下面に板材９が設けられる。板材９は、板面を上下に向けて配置され、上面が水平片８の下面に接着剤などで固定される。取付材２および板材９には、それらを上下に貫通して取付孔１０が複数形成されている。複数の取付孔１０は、隣接する取付孔１０，１０同士が互いに左右に離隔して配置されている。
【００２３】
傾斜支持材３は、間仕切壁などを設置する際に用いられるランナー１１の天井への設置面１２が斜め上方へ向いた状態で、ランナー１１を傾斜して支持するものである（図３）。図示例では、傾斜支持材３は、板状の傾斜部１３と、この傾斜部１３に設けられる載置部１４とを有している。傾斜部１３は、中央片１５と開放両端片１６，１６とを有する略コ字形状の板状に形成されており、後方へ開口した状態で上下方向へ沿って配置される。載置部１４は、たとえば、先端部にネジが切られたボルトとされ、傾斜部１３の左側の開放両端片１６から左方へ突出して設けられる。載置部１４の傾斜部１３への固定は、載置部１４の先端部が傾斜部１３の左側の開放両端片１６を貫通した状態で、ナット１７が載置部１４にねじ込まれることでなされる。
【００２４】
このようにして、傾斜支持材３は、傾斜部１３と載置部１４とにより略Ｌ字形状に形成されている。本実施例では、傾斜支持材３は、接続材１８を介して、取付材２の左右方向中央部よりも左方位置に設けられる。接続材１８は、垂直部１９と水平部２０とを有する略Ｌ字形状の板状に形成されている。垂直部１９は、略矩形板状に形成されており、板面を前後に向けて配置される。水平部２０は、略矩形板状に形成されており、垂直部１９の上端部から後方へ延出して、板面を上下に向けて配置される。この際、接続材１８の垂直部１９の前面が取付材２の垂直片７の後面に当接された状態で、垂直部１９および垂直片７を貫通して設けられるボルト２１とそれにねじ込まれるナット２２とにより、接続材１８が取付材２に固定される。取付状態では、接続材１８の水平部２０と取付材２の水平片８とがほぼ面一とされ、接続材１８の垂直部１９の下端部が取付材２の垂直片７よりも下方へ延出される。
【００２５】
接続材１８が取付材２に固定された際に、取付材２の垂直片７よりも下方へ延出する接続材１８の垂直部１９の下端部に、傾斜支持材３が回動可能に設けられる。図示例では、傾斜部１３内に、略コ字形状の板材２３が、前方へ開口するよう配置されると共に、その開放両端部の外面が傾斜部１３の開放両端片１６，１６の内面に当接しつつ開放両端部が傾斜部１３の中央片１５に接触して配置される。そして、傾斜部１３の中央片１５および板材２３の中央部を前後に貫通して配置されるボルト２４とそれにねじ込まれる蝶ナット２５により、傾斜部１３が接続材１８の垂直部１９に保持される。これにより、傾斜部１３は、ボルト２４の軸線まわりに回動可能とされる。すなわち、傾斜支持材３は、接続材１８を介して、取付材２に回動可能に設けられる。
【００２６】
取付材２に傾斜支持材３が保持された状態では、傾斜部１３を傾斜した状態で維持することができる。図示例では、傾斜部１３は、下方へ行くに従って左方へ傾斜して配置される。これは、傾斜部１３の上端部が接続材１８の水平部２０の下面に接触することで、正面視において反時計方向への傾斜部１３の回動が阻止されるからである。これにより、傾斜支持材３は、取付材２に傾斜した状態で保持することができる。
【００２７】
位置決め材４は、ランナー１１の設置面１２が天井に当接される際にランナー１１が接触されて、天井に対しランナー１１を位置決めするものである（図６）。図示例では、位置決め材４は、上下方向を長手方向とする略長方形の板状に形成されている。この位置決め材４は、板面を前後に向けて配置され、上端部が取付材２の左端部に固定される。具体的には、位置決め材４は、その前面が取付材２の垂直片７の後面に当接された状態で、取付材２の垂直片７および位置決め材４を前後に貫通して設けられるボルト２６とそれにねじ込まれるナット２７により、取付材２に固定される。この際、位置決め材４の左端部が取付材２の左端部よりも左方へ延出して配置され、位置決め材４の左面が取付材２の左面よりも左方へ配置される。
【００２８】
水平支持材５は、傾斜支持材３に支持された状態でのランナー１１の位置よりも天井に近い位置で、ランナー１１の設置面１２が上方へ向いた状態で水平にランナー１１を支持するものである（図５）。図示例では、水平支持材５は、左右方向を長手方向とする略長方形の板状に形成されている。この水平支持材５は、板面を前後に向けて配置され、位置決め材４に回動可能に設けられる。典型的には、水平支持材５は、ヒンジ２８を介して位置決め材４に設けられる。
【００２９】
図１および図２に示されるように、水平支持材５の左端部が位置決め材４の下端部の左側縁部にヒンジ２８で取り付けられる。具体的には、ヒンジ２８の一方の羽根部２９と位置決め材４の前面とが当接された状態で、一方の羽根部２９および位置決め材４を前後に貫通して配置されるボルト３０とそれにねじ込まれるナット３１により、ヒンジ２８と位置決め材４とが固定される。また、ヒンジ２８の他方の羽根部３２と水平支持材５の後面とが当接された状態で、他方の羽根部３２および水平支持材５を前後に貫通して配置されるボルト３３とそれにねじ込まれるナット３４により、ヒンジ２８と水平支持材５とが固定される。この際、ヒンジ２８の軸は、上下方向へ沿って配置される。これにより、水平支持材５は、ヒンジ２８の上下方向へ沿う軸まわりに回動可能に位置決め材４に保持される。ヒンジ２８が閉じた状態では、水平支持材５と位置決め材４とは、板面同士が前後に互いに対応して配置される。
【００３０】
押付材６は、ランナー１１の設置面１２が天井に当接された状態で、下方からランナー１１を天井側へ押し付けるものである（図７）。図示例では、押付材６は、上下方向を長手方向とする略長方形の板状に形成されている。この押付材６は、板面を前後に向けて配置され、水平支持材５に回動可能に設けられる。典型的には、押付材６は、ヒンジ３５を介して水平支持材５に設けられる。
【００３１】
図１および図２に示されるように、押付材６の上端部が水平支持材５の上端部の中央よりも左方位置にヒンジ３５で取り付けられる。具体的には、ヒンジ３５の一方の羽根部３６と水平支持材５の前面とが当接された状態で、一方の羽根部３６および水平支持材５を前後に貫通して配置されるボルト３７とそれにねじ込まれるナット３８により、ヒンジ３５と水平支持材５とが固定される。また、ヒンジ３５の他方の羽根部３９と押付材６の後面とが当接された状態で、他方の羽根部３９および押付材６を前後に貫通して配置されるボルト４０とそれにねじ込まれるナット４１により、ヒンジ３５と押付材６とが固定される。この際、ヒンジ３５の軸は、左右方向へ沿って配置される。これにより、押付材６は、ヒンジ３５の左右方向へ沿う軸まわりに回動可能に水平支持材５に保持される。ヒンジ３５が閉じた状態では、押付材６と水平支持材５とは、板面同士が前後に互いに対応して配置される。
【００３２】
図３から図７は、本実施例のランナー施工補助具を用いて、ランナーを天井に施工するランナー施工方法を時系列に示す正面図であり、一部を断面にして示している。本実施例のランナー施工方法は、後述するように電気配線などの配線４２が通される貫通穴４３が設置面１２に形成されたランナー１１を天井に施工する方法である。
【００３３】
本実施例のランナー施工方法では、まず、ランナー１１の天井への設置方向（ランナー１１を天井に取り付けた際のランナー１１の長さ方向）へ沿って互いに離隔して、複数のランナー施工補助具１が天井に固定される。図３では、隣接するランナー施工補助具１，１同士が前後に互いに離隔して、複数のランナー施工補助具１が前後方向へ沿って天井に固定される。この際、各ランナー施工補助具１は、位置決め材４が天井に引かれた墨線に対応するようにして、天井に固定される。ここでは、天井は、互いに間隔を空けて配置される複数の野縁４４と、端部同士が互いに対応するようにして野縁４４の下端部に取り付けられる複数の天井ボード４５とを備えて構成される。
【００３４】
図３に示されるように、各ランナー施工補助具１は、その取付材２の水平片８の上面および接続材１８の水平部２０の上面が天井ボード４５の下面に当接された状態で、ビス４６により野縁４４に固定される。ビス４６は、ランナー施工補助具１に形成された複数の取付孔１０の内、所望の取付孔１０を介して天井ボード４５を貫通して野縁４４に打ち込まれる。この際、各ランナー施工補助具１は、位置決め材４の左端部が天井ボード４５に引かれた墨線に合うようにして、天井に固定される。
【００３５】
次に、天井に固定されたランナー施工補助具１，１同士を架け渡すように、複数のランナー施工補助具１の各傾斜支持材３にランナー１１が支持される。本実施例のランナー１１は、中央辺部４７と開放両端辺部４８，４８とを有する略コ字形状の板状に形成されている。ランナー１１の天井への設置部である中央辺部４７には、配線４２を通すための貫通穴４３が一または複数形成されている。貫通穴４３に通される複数の配線４２は、天井内から天井ボード４５に形成された貫通孔４９を介して屋内へ引き込まれている。なお、天井ボード４５の貫通孔４９には、筒材５０が設けられ、この筒材５０を介して配線４２が屋内へ引き込まれる。
【００３６】
図３に示されるように、ランナー１１は、設置面１２が斜め上方へ向いた状態で傾斜して、各傾斜支持材３に支持される。すなわち、ランナー１１は、一方の開放両端辺部４８の側面が載置部１４に載せ置かれると共に、開放両端辺部４８，４８の先端部が傾斜部１３に載せ置かれて、各傾斜支持材３に傾斜して保持される。これにより、ランナー１１は、その中央辺部４７が屋内に引き込まれた配線４２へ向けられた状態で、傾斜支持材３に傾斜して支持される。
【００３７】
そして、各傾斜支持材３にランナー１１が支持された状態で、ランナー１１の貫通穴４３に天井からの配線４２が通される。具体的には、図４に示されるように、配線４２は、略コ字形状のランナー１１の外側から貫通穴４３を介してランナー１１の内側へ通され、さらに内側から開口部を介して外側へ通される。なお、ランナー１１を傾斜支持材３に載せ置く際、およびランナー１１の貫通穴４３に配線４２を通している際には、各ヒンジ２８，３５が閉じた状態とされる。
【００３８】
ランナー１１は、その貫通穴４３に配線４２が通された状態で、前述したように各傾斜支持材３に支持された状態から、天井に固定されたランナー施工補助具１，１同士を架け渡すよう各水平支持材５に支持された状態へ移動される。すなわち、作業者によりランナー１１が持ち上げられて、図４の状態から図５の状態へ移動される。この際、ヒンジ２８が開いた状態とされ、水平支持材５は、位置決め材４から左方へ延出して配置される。
【００３９】
図５に示されるように、ランナー１１は、設置面１２が上方へ向いた状態で水平に各水平支持材５に支持される。具体的には、ランナー１１は、その開放両端辺部４８，４８の先端部が各水平支持材５の上面に載せ置かれる。ここで、水平支持材５は、傾斜部１３が傾斜した状態での載置部１４の位置よりも上方位置に配置される。これにより、水平支持材５は、傾斜支持材３に支持された状態でのランナー１１の位置よりも天井に近い位置で、ランナー１１を支持することができる。なお、ランナー１１が水平支持材５に支持される際には、ヒンジ３５が閉じた状態とされる。
【００４０】
その後、ランナー１１は、その貫通穴４３に配線４２が通された状態で、各水平支持材５に支持された状態から、複数のランナー施工補助具１の各位置決め材４にて位置決めされつつ、設置面１２が天井に当接される。ここで、ランナー１１の設置面１２には、各傾斜支持材３に支持される前に接着剤が塗布されている。図６に示されるように、ランナー１１は、その設置面１２が天井に当接される際に位置決め材４に接触されて、天井に対して位置決めされる。具体的には、ランナー１１は、他方の開放両端辺部４８の側面が位置決め材４の左面に当接されつつ、設置面１２が天井ボード４５に当接される。この際、配線４２が通された筒材５０は、ランナー施工補助具１の貫通穴４３に貫通される。
【００４１】
ランナー１１が天井に当接された後、ランナー１１は、複数のランナー施工補助具１の各押付材６にて天井側へ押し付けられる。図７に示されるように、ランナー１１の設置面１２が天井ボード４５に当接された状態で、ヒンジ３５が開いた状態とされて押付材６が水平支持材５から上方へ延出して配置され、押付材６の先端部がランナー１１の中央辺部４７に接触される。これにより、押付材６は、ランナー１１の設置面１２が天井に当接された状態で、下方からランナー１１を天井側へ押し付けることができる。この際、ヒンジ２８が開いた状態とされ、水平支持材５は、位置決め材４から左方へ延出して配置されている。
【００４２】
そして、ランナー１１は、各押付材６にて天井側へ押し付けられた状態で、固定具により天井に固定される。本実施例では、ランナー１１が押付材６にて天井側へ押し付けられた状態で、下方からランナー１１の中央辺部４７および天井ボード４５を貫通して、野縁４４に複数のビスが打ち込まれる。これにより、ランナー１１は、天井ボード４５を介して野縁４４に固定される。
【００４３】
図８は、本実施例のランナー施工補助具の収納状態を示す正面図である。この図に示されるように、ランナー施工補助具１は、各ヒンジ２８，３５が閉じた状態とされると共に、傾斜支持材３がボルト２４まわりに時計方向（図８の矢印方向）へ回動することで、コンパクト化を図ることができる。なお、位置決め材４には、傾斜支持材３が時計方向へ回動した際に接触することで、それ以上の回動を阻止する回動規制部５１が設けられる。本実施例では、回動規制部５１は、位置決め材４に前後に貫通して設けられるボルトとされる。このボルト５１は、位置決め材４に貫通した状態で、ナット５２（図２）がねじ込まれることで、位置決め材４に設けられる。この際、ボルト５１は、ナット５２よりも後方へ突出しており、この突出部に傾斜支持材３が接触される。
【００４４】
本実施例の場合、ランナー１１が傾斜支持材３に支持された状態で、ランナー１１の貫通穴４３に天井からの配線４２が通される。これにより、作業者は、貫通穴４３に配線４２を通す作業を両手で行うことができる。従って、ランナー１１の貫通穴４３の縁部に配線４２が接触しないように貫通穴４３に配線４２を通すことができるので、配線４２を傷付けることなく貫通穴４３に通すことができる。また、本実施例の場合、ランナー１１は、その設置面１２が斜め上方へ向いた状態で傾斜支持材３に支持される。従って、ランナー１１が水平に支持された状態で貫通穴４３に配線４２を通す場合と比較して、天井から屋内へ引き込まれた配線４２を容易に貫通穴４３に通すことができる。
【００４５】
また、本実施例の場合、ランナー１１が傾斜支持材３に支持された状態で、貫通穴４３に配線４２を通す作業が行われる。すなわち、ランナー１１の貫通穴４３に配線４２を通す作業を天井付近で行うことができる。従って、ランナー１１を天井に設置する際の天井までのランナー１１の移動距離を従来よりも短くすることができ、これにより、ランナー１１の設置面１２の接着剤が配線４２に付着したり、配線４２がランナー１１に接触して折れ曲がったりするのを防止することができる。また、本実施例の場合、ランナー１１の貫通穴４３に配線４２を通す際に片手でランナー１１を持つ必要がないので、作業者の負担を軽減することができる。
【００４６】
また、本実施例の場合、位置決め材４にランナー１１を接触させることで、ランナー１１の天井に対する位置決めが行われる。従って、目視により墨線にランナー１１を合わせる従来の場合と比較して、ランナー１１の位置決めを容易にかつ正確に行うことができる。また、本実施例の場合、ランナー１１を天井に当接させる際、ランナー１１が一旦水平支持材５に支持される。従って、ランナー１１を天井に当接させる作業を、作業者が一人で容易に行うことができる。
【００４７】
また、本実施例の場合、押付材６にてランナー１１を天井側へ押し付けた状態で、ビスによりランナー１１が天井に固定される。従って、ランナー１１を天井に対して動かして微調整しながら、天井へランナー１１を固定することができ、これにより、ランナー１１を正確な位置に配置して、所定の位置にランナー１１を固定することができる。また、本実施例の場合、位置決め材４は、水平支持材５を取付材２に取り付ける際の接続材の役割も果たしている。また、水平支持材５および位置決め材４は、押付材６を取付材２に取り付ける際の接続材の役割も果たしている。従って、ランナー施工補助具１の構成を簡易な構成とすることができる。さらに、本実施例の場合、ランナー施工補助具１のコンパクト化を図ることができるので、収納する際に場所をとらない。
【００４８】
本発明は、前記実施例の構成に限らず、適宜変更可能である。たとえば、前記実施例では、ランナー１１は、傾斜支持材３に支持された状態から水平支持材５に支持された状態へ移動されたが、傾斜支持材３に支持された状態から天井に当接されてもよい。この場合、ランナー１１は、その貫通穴４３に配線４２が通された状態で、各傾斜支持材３に支持された状態から、複数のランナー施工補助具１の各位置決め材４にて位置決めされつつ、設置面１２が天井に当接される。
【００４９】
すなわち、ランナー１１は、傾斜支持材３に支持された状態から、設置面１２が天井に当接される際に位置決め材４に接触されて、天井に対して位置決めされる。具体的には、前記実施例と同様にして、ランナー１１は、他方の開放両端辺部４８の側面が位置決め材４の左面に当接されつつ、設置面１２が天井ボード４５に当接される。この際、配線４２が通された筒材５０は、ランナー１１の貫通穴４３に貫通される。なお、ランナー１１の設置面１２には、各傾斜支持材３に支持される前に接着剤が塗布されている。そして、ランナー１１は、複数のランナー施工補助具１の各押付材６にて天井側へ押し付けられ、その状態で固定具により天井に固定される。
【００５０】
また、前記実施例では、ランナー１１が傾斜支持材３に支持される前に、ランナー１１の設置面１２に接着剤が塗布されたが、これに限定されるものではない。たとえば、ランナー１１が傾斜支持材３に支持された後で貫通穴４３に配線４２が通される前、または、ランナー１１が傾斜支持材３に支持された後で貫通穴４３に配線４２が通された後に、ランナー１１の設置面１２に接着剤を塗布してもよい。さらに、前記実施例において、取付材２、傾斜支持材３、水平支持材５、位置決め材４および押付材６の構成が適宜変更可能であることは言うまでもない。
【産業上の利用可能性】
【００５１】
本発明は、間仕切壁などのランナーを天井に設置する際に好適に適用される。
【符号の説明】
【００５２】
１  ランナー施工補助具
２  取付材
３  傾斜支持材
４  位置決め材
５  水平支持材
６  押付材
１１  ランナー
１２  設置面
４２  配線
４３  貫通穴
【図１】
2019019446.tif 000003
【図２】
2019019446.tif 000004
【図３】
2019019446.tif 000005
【図４】
2019019446.tif 000006
【図５】
2019019446.tif 000007
【図６】
2019019446.tif 000008
【図７】
2019019446.tif 000009
【図８】
2019019446.tif 000010